(57)【要約】【課題】  実装時において発生する不具合を回避することが可能なＬＥＤ数字表示器を提供する。【解決手段】  主面を有する複数のリード１０と、いずれかの前記主面に電気的に接合された複数のＬＥＤチップ２０と、複数のＬＥＤチップ２０に一端が個別に接続された複数のワイヤ３０と、複数のＬＥＤチップ２０、および複数のワイヤ３０の一端を個別に覆う複数の被覆体４０と、厚さ方向に貫通し、かつ複数の被覆体４０を個別に収容する複数の貫通部５２を有するケース５０と、複数の被覆体４０に接して複数の貫通部５２に個別に収容された複数の封止樹脂と、を備え、複数の貫通部５２の各々は、リード１０に通じる第１貫通領域５２１、および第２貫通領域５２２を有し、厚さ方向視において、第１貫通領域５２１の周縁５２１Ａが囲む領域の面積は、第１貫通領域５２１と第２貫通領域５２２との境界面５２２Ａの面積よりも大である。【選択図】  図２
2019134061.tif 000002
【特許請求の範囲】
【請求項１】
厚さ方向を向く主面を有する複数のリードと、
前記厚さ方向において前記主面が向く側を向く表面に設けられた表面電極、および前記主面に対向する裏面電極を有し、かつ前記裏面電極が複数の前記リードのいずれかの前記主面に電気的に接合された複数のＬＥＤチップと、
複数の前記表面電極に一端が個別に接続された複数のワイヤと、
透光性を有するとともに、複数の前記ＬＥＤチップ、および前記表面電極に接続された複数の前記ワイヤの一端を個別に覆う複数の被覆体と、
前記厚さ方向に貫通し、かつ複数の前記被覆体の少なくともいずれかを個別に収容する複数の貫通部を有するとともに、複数の前記リードの前記主面の一部が接合されたケースと、
透光性を有するとともに、複数の前記被覆体に接して複数の前記貫通部に個別に収容された複数の封止樹脂と、を備え、
複数の前記貫通部の各々は、前記リードに通じる第１貫通領域と、前記第１貫通領域に通じ、かつ前記厚さ方向において前記第１貫通領域に対して前記リードとは反対側に位置する第２貫通領域と、を有し、
厚さ方向視において、前記第１貫通領域の周縁が囲む領域の面積は、前記第１貫通領域と前記第２貫通領域との境界面の面積よりも大であることを特徴とする、ＬＥＤ数字表示器。
【請求項２】
前記ケースは、複数の前記リードの前記主面の一部が接合された底面と、前記底面につながり、かつ複数の前記第１貫通領域を個別に囲む複数の第１内周面と、複数の前記第１内周面の各々につながり、かつ複数の前記第２貫通領域を個別に囲む複数の第２内周面と、を有し、
前記厚さ方向視において、前記底面と前記第１内周面との境界の少なくとも一部が、前記第１内周面と前記第２内周面との境界よりも外側に位置する、請求項１に記載のＬＥＤ数字表示器。
【請求項３】
複数の前記貫通部は、いずれも前記厚さ方向視において前記ワイヤに沿って延びる帯状であり、
複数の前記第１内周面の各々は、前記厚さ方向視において、複数の前記貫通部の各々が延びる方向に沿った一対の拡張領域を有し、
前記厚さ方向視において、前記底面と前記拡張領域との境界が、前記拡張領域と前記第２内周面との境界よりも外側に位置する、請求項２に記載のＬＥＤ数字表示器。
【請求項４】
一対の前記拡張領域の各々は、少なくとも一部が前記底面に対して傾斜している、請求項３に記載のＬＥＤ数字表示器。
【請求項５】
一対の前記拡張領域の各々は、前記底面につながり、かつ前記厚さ方向に沿った起立部と、前記起立部および前記第２内周面の双方につながる連結部と、を有し、
前記連結部が前記底面に対して傾斜している、請求項４に記載のＬＥＤ数字表示器。
【請求項６】
一対の前記拡張領域の各々には、前記厚さ方向において前記底面に対して段差が形成されている、請求項３に記載のＬＥＤ数字表示器。
【請求項７】
一対の前記拡張領域の各々は、前記ケースの内側に向けて凹む曲面である、請求項３に記載のＬＥＤ数字表示器。
【請求項８】
前記厚さ方向視において、複数の前記被覆体の少なくともいずれかの周縁の一部が、一対の前記拡張領域に重なっている、請求項３ないし７のいずれかに記載のＬＥＤ数字表示器。
【請求項９】
複数の前記ＬＥＤチップの前記裏面電極が接合された複数の前記リードのいずれかの前記主面には、前記主面から凹み、かつ複数の前記ＬＥＤチップを個別に囲む複数の周溝が形成されている、請求項３ないし７のいずれかに記載のＬＥＤ数字表示器。
【請求項１０】
前記厚さ方向視において、複数の前記周溝は、いずれも一対の前記拡張領域と前記第２内周面との境界の間に位置している、請求項９に記載のＬＥＤ数字表示器。
【請求項１１】
複数の前記周溝の各々は、前記周溝の外周縁に位置する外周突起と、前記周溝の内周縁に位置する内周突起と、を有し、
前記外周突起および前記内周突起は、前記主面から前記厚さ方向に突出している、請求項９または１０のいずれかに記載のＬＥＤ数字表示器。
【請求項１２】
前記厚さ方向視において、複数の前記被覆体の周縁が、複数の前記内周突起に個別に接している、請求項１１に記載のＬＥＤ数字表示器。
【請求項１３】
複数の前記被覆体が、複数の前記内周突起および複数の前記外周突起のそれぞれ個別に接している、請求項１１に記載のＬＥＤ数字表示器。
【請求項１４】
前記厚さ方向視において、複数の前記被覆体の周縁の少なくとも一部が、前記外周突起よりも外側に位置している、請求項１３に記載のＬＥＤ数字表示器。
【請求項１５】
複数の前記リードは、共通パッド部と、複数の個別パッド部と、を有し、
複数の前記ＬＥＤチップの前記裏面電極は、複数の個別パッド部に個別かつ電気的に接合され、
複数の前記ワイヤの他端は、いずれも前記共通パッド部に接続されている、請求項１ないし１４のいずれかに記載のＬＥＤ数字表示器。
【請求項１６】
複数の前記リードは、共通パッド部と、複数の個別パッド部と、を有し、
複数の前記ＬＥＤチップの前記裏面電極は、いずれも前記共通パッド部に電気的に接合され、
複数の前記ワイヤの他端は、複数の前記個別パッド部に個別に接続されている、請求項１ないし１４のいずれかに記載のＬＥＤ数字表示器。
【発明の詳細な説明】
【技術分野】
【０００１】
本発明は、７セグメントディスプレイなどのＬＥＤ数字表示器に関する。
【背景技術】
【０００２】
特許文献１には、光源に複数のＬＥＤチップを用いたＬＥＤ数字表示器の一例（図８参照）が開示されている。ＬＥＤ数字表示器は、ランプハウス（ケース）の背面から注入された透光樹脂を備える。透光樹脂は、複数のＬＥＤチップを覆っている。ＬＥＤ数字表示器は、複数のＬＥＤチップに電圧が選択的に印加され、かつランプハウスから露出した透光樹脂が発光することにより、０から９までの数字を表示させる。
【０００３】
ＬＥＤ数字表示器を配線基板に実装する際、リフロー炉からの熱により、透光樹脂およびランプハウスに熱ひずみが生じる。これにより、透光樹脂には、ＬＥＤ数字表示器の光の出射方向が主な作用方向である熱応力が発生する。当該熱応力は、リードと複数のＬＥＤチップとの間に介在するダイボンディング材（Ａｇペーストなど）に集中しやすく、これにより複数のＬＥＤチップがリードから剥がれることがある。
【０００４】
こうした事情から、ＬＥＤ数字表示器の実装の際、ダイボンディング材に熱応力が集中することを抑制するために、複数のＬＥＤチップを個別に覆い、かつ透光樹脂よりもヤング率が低い複数の被覆体をリードに設けることがある。複数の被覆体は、透光性を有する。しかし、ランプハウスが複数の被覆体の一部に接触した状態のままＬＥＤ数字表示器が製造された場合、当該ＬＥＤ数字表示器の実装の際、複数のＬＥＤチップに個別に接続された複数のワイヤにおいて、複数の被覆体と透光樹脂との境界付近に熱応力が集中する。これにより、複数のワイヤが破断することがある。
【先行技術文献】
【特許文献】
【０００５】
【特許文献１】特開２００３−３１８５４号公報
【発明の概要】
【発明が解決しようとする課題】
【０００６】
本発明は上述の事情に鑑み、実装時において発生する不具合を回避することが可能なＬＥＤ数字表示器を提供することをその課題とする。
【課題を解決するための手段】
【０００７】
本発明によれば、厚さ方向を向く主面を有する複数のリードと、前記厚さ方向において前記主面が向く側を向く表面に設けられた表面電極、および前記主面に対向する裏面電極を有し、かつ前記裏面電極が複数の前記リードのいずれかの前記主面に電気的に接合された複数のＬＥＤチップと、複数の前記表面電極に一端が個別に接続された複数のワイヤと、透光性を有するとともに、複数の前記ＬＥＤチップ、および前記表面電極に接続された複数の前記ワイヤの一端を個別に覆う複数の被覆体と、前記厚さ方向に貫通し、かつ複数の前記被覆体の少なくともいずれかを個別に収容する複数の貫通部を有するとともに、複数の前記リードの前記主面の一部が接合されたケースと、透光性を有するとともに、複数の前記被覆体に接して複数の前記貫通部に個別に収容された複数の封止樹脂と、を備え、複数の前記貫通部の各々は、前記リードに通じる第１貫通領域と、前記第１貫通領域に通じ、かつ前記厚さ方向において前記第１貫通領域に対して前記リードとは反対側に位置する第２貫通領域と、を有し、厚さ方向視において、前記第１貫通領域の周縁が囲む領域の面積は、前記第１貫通領域と前記第２貫通領域との境界面の面積よりも大であることを特徴とするＬＥＤ数字表示器が提供される。
【０００８】
本発明の実施において好ましくは、前記ケースは、複数の前記リードの前記主面の一部が接合された底面と、前記底面につながり、かつ複数の前記第１貫通領域を個別に囲む複数の第１内周面と、複数の前記第１内周面の各々につながり、かつ複数の前記第２貫通領域を個別に囲む複数の第２内周面と、を有し、前記厚さ方向視において、前記底面と前記第１内周面との境界の少なくとも一部が、前記第１内周面と前記第２内周面との境界よりも外側に位置する。
【０００９】
本発明の実施において好ましくは、複数の前記貫通部は、いずれも前記厚さ方向視において前記ワイヤに沿って延びる帯状であり、複数の前記第１内周面の各々は、前記厚さ方向視において、複数の前記貫通部の各々が延びる方向に沿った一対の拡張領域を有し、前記厚さ方向視において、前記底面と前記拡張領域との境界が、前記拡張領域と前記第２内周面との境界よりも外側に位置する。
【００１０】
本発明の実施において好ましくは、一対の前記拡張領域の各々は、少なくとも一部が前記底面に対して傾斜している。
【００１１】
本発明の実施において好ましくは、一対の前記拡張領域の各々は、前記底面につながり、かつ前記厚さ方向に沿った起立部と、前記起立部および前記第２内周面の双方につながる連結部と、を有し、前記連結部が前記底面に対して傾斜している。
【００１２】
本発明の実施において好ましくは、一対の前記拡張領域の各々には、前記厚さ方向において前記底面に対して段差が形成されている。
【００１３】
本発明の実施において好ましくは、一対の前記拡張領域の各々は、前記ケースの内側に向けて凹む曲面である。
【００１４】
本発明の実施において好ましくは、前記厚さ方向視において、複数の前記被覆体の少なくともいずれかの周縁の一部が、一対の前記拡張領域に重なっている。
【００１５】
本発明の実施において好ましくは、複数の前記ＬＥＤチップの前記裏面電極が接合された複数の前記リードのいずれかの前記主面には、前記主面から凹み、かつ複数の前記ＬＥＤチップを個別に囲む複数の周溝が形成されている。
【００１６】
本発明の実施において好ましくは、前記厚さ方向視において、複数の前記周溝は、いずれも一対の前記拡張領域と前記第２内周面との境界の間に位置している。
【００１７】
本発明の実施において好ましくは、複数の前記周溝の各々は、前記周溝の外周縁に位置する外周突起と、前記周溝の内周縁に位置する内周突起と、を有し、前記外周突起および前記内周突起は、前記主面から前記厚さ方向に突出している。
【００１８】
本発明の実施において好ましくは、前記厚さ方向視において、複数の前記被覆体の周縁が、複数の前記内周突起に個別に接している。
【００１９】
本発明の実施において好ましくは、複数の前記被覆体が、複数の前記内周突起および複数の前記外周突起のそれぞれ個別に接している。
【００２０】
本発明の実施において好ましくは、前記厚さ方向視において、複数の前記被覆体の周縁の少なくとも一部が、前記外周突起よりも外側に位置している。
【００２１】
本発明の実施において好ましくは、複数の前記リードは、共通パッド部と、複数の個別パッド部と、を有し、複数の前記ＬＥＤチップの前記裏面電極は、複数の個別パッド部に個別かつ電気的に接合され、複数の前記ワイヤの他端は、いずれも前記共通パッド部に接続されている。
【００２２】
本発明の実施において好ましくは、複数の前記リードは、共通パッド部と、複数の個別パッド部と、を有し、複数の前記ＬＥＤチップの前記裏面電極は、いずれも前記共通パッド部に電気的に接合され、複数の前記ワイヤの他端は、複数の前記個別パッド部に個別に接続されている。
【発明の効果】
【００２３】
本発明にかかるＬＥＤ数字表示器によれば、実装時において発生する不具合を回避することが可能となる。
【００２４】
本発明のその他の特徴および利点は、添付図面に基づき以下に行う詳細な説明によって、より明らかとなろう。
【図面の簡単な説明】
【００２５】
【図１】本発明の第１実施形態にかかるＬＥＤ数字表示器の斜視図である。
【図２】図１に示すＬＥＤ数字表示器の平面図（複数の封止樹脂を透過）である。
【図３】図２に対して、複数の被覆体、ケースおよび複数の封止樹脂の図示を省略した平面図である。
【図４】図１に示すＬＥＤ数字表示器の底面図である。
【図５】図４に対して、アンダーフィルの図示を省略した底面図である。
【図６】図１に示すＬＥＤ数字表示器のケースの底面図である。
【図７】図２のＶＩＩ−ＶＩＩ線に沿う断面図である。
【図８】図２のＶＩＩＩ−ＶＩＩＩ線に沿う断面図である。
【図９】図８の部分拡大図（ＬＥＤチップ付近）である。
【図１０】図８の部分拡大図（ＬＥＤチップ付近）である。
【図１１】図７の部分拡大図（ＬＥＤチップ付近）である。
【図１２】図２の部分拡大図（ＬＥＤチップ付近）である。
【図１３】図２の部分拡大図（ＬＥＤチップ付近）である。
【図１４】本発明の第１実施形態の第１変形例にかかるＬＥＤ数字表示器の部分断面拡大図（ＬＥＤチップ付近）である。
【図１５】本発明の第１実施形態の第２変形例にかかるＬＥＤ数字表示器の部分断面拡大図（ＬＥＤチップ付近）である。
【図１６】本発明の第１実施形態の第３変形例にかかるＬＥＤ数字表示器の部分断面拡大図（ＬＥＤチップ付近）である。
【図１７】本発明の第２実施形態にかかるＬＥＤ数字表示器の平面図（複数の封止樹脂を透過）である。
【図１８】図１７に対して、複数の被覆体、ケースおよび複数の封止樹脂の図示を省略した平面図である。
【図１９】本発明の第３実施形態にかかるＬＥＤ数字表示器の平面図（複数の封止樹脂を透過）である。
【図２０】図１９に対して、複数の被覆体、ケースおよび複数の封止樹脂の図示を省略した平面図である。
【図２１】図１９に示すＬＥＤ数字表示器の部分拡大断面図（ＬＥＤチップ付近）である。
【図２２】図２１の部分拡大図（周溝付近）である。
【図２３】図１９の部分拡大図（ＬＥＤチップ付近）である。
【図２４】本発明の第３実施形態の第１変形例にかかるＬＥＤ数字表示器の部分拡大断面図（周溝付近）である。
【図２５】本発明の第３実施形態の第２変形例にかかるＬＥＤ数字表示器の部分拡大断面図（周溝付近）である。
【図２６】本発明の第４実施形態にかかるＬＥＤ数字表示器の平面図（複数の封止樹脂を透過）である。
【図２７】図２６に対して、複数の被覆体、ケースおよび複数の封止樹脂の図示を省略した平面図である。
【図２８】図２６に示すＬＥＤ数字表示器の部分拡大断面図（ＬＥＤチップ付近）である。
【図２９】図２８の部分拡大図（周溝付近）である。
【発明を実施するための形態】
【００２６】
本発明を実施するための形態（以下「実施形態」という。）について、添付図面に基づいて説明する。
【００２７】
〔第１実施形態〕
図１〜図１３に基づき、本発明の第１実施形態にかかるＬＥＤ数字表示器Ａ１０について説明する。ＬＥＤ数字表示器Ａ１０は、配線基板に表面実装されるものである。図１に示すように、ＬＥＤ数字表示器Ａ１０は、０から９までの１桁の数字を表示させる形式であるが、複数桁の数字を表示させる形式をとってもよい。ＬＥＤ数字表示器Ａ１０は、複数のリード１０、複数のＬＥＤチップ２０、複数のワイヤ３０、複数の被覆体４０、ケース５０、複数の封止樹脂６０、およびアンダーフィル６９を備える。なお、図２は、理解の便宜上、複数の封止樹脂６０を透過している。図７は、一点鎖線に沿う断面図である。
【００２８】
本発明にかかる特許請求の範囲に記載の「厚さ方向」とは、複数のリード１０の厚さ方向ｚを指す。本発明にかかる特許請求の範囲に記載の「厚さ方向視」とは、厚さ方向ｚに沿った視点の状態を指す。なお、以降の説明においては、「厚さ方向視」を「厚さ方向ｚ視」と呼ぶ。また、厚さ方向ｚに対して直交する方向を、「第１方向ｘ」と呼ぶ。厚さ方向ｚおよび第１方向ｘの双方に対して直交する方向を、「第２方向ｙ」と呼ぶ。図１に示すように、ＬＥＤ数字表示器Ａ１０は、厚さ方向ｚ視において、第２方向ｙを長手方向とする矩形状である。
【００２９】
複数のリード１０は、図２および図３に示すように、複数のＬＥＤチップ２０に個別に電力を供給するための導電部材である。複数のリード１０は、厚さ方向ｚに対して板状である。複数のリード１０の構成材料は、銅（Ｃｕ）または銅合金である。複数のリード１０は、共通パッド部１１１および複数の個別パッド部１１２を有する。共通パッド部１１１が占める領域は、複数の個別パッド部１１２の各々が占める領域よりも大である。ＬＥＤ数字表示器Ａ１０では、共通パッド部１１１に複数のワイヤ３０が接続されている。共通パッド部１１１は、第２方向ｙに互いに離間した一対の延出部１１１Ａを有する。一対の延出部１１１Ａは、第２方向ｙに延びている。
【００３０】
図３に示すように、複数の個別パッド部１１２は、共通パッド部１１１から離間している。ＬＥＤ数字表示器Ａ１０では、複数の個別パッド部１１２に複数のＬＥＤチップ２０が個別かつ電気的に接合されている。また、ＬＥＤ数字表示器Ａ１０では、複数の個別パッド部１１２の数は８つである。複数の個別パッド部１１２は、一対の延出部１１１Ａのそれぞれに対して、第１方向ｘにおける延出部１１１Ａの両側に、それぞれ２つずつ配列されている。
【００３１】
図３および図７に示すように、共通パッド部１１１および複数の個別パッド部１１２の各々は、主面１０Ａを有する。主面１０Ａは、厚さ方向ｚにおいて複数のＬＥＤチップ２０が位置する側を向く。主面１０Ａには、たとえば銀（Ａｇ）めっき層を施してもよい。
【００３２】
図３に示すように、複数のリード１０の各々は、複数の端子部１２を有する。複数の端子部１２は、共通パッド部１１１の一対の延出部１１１Ａと、複数の個別パッド部１１２とに個別に連結されている。複数の端子部１２は、第２方向ｙに延びている。複数の端子部１２は、ＬＥＤ数字表示器Ａ１０を配線基板に実装させる際に利用される。ＬＥＤ数字表示器Ａ１０では、複数の端子部１２の数は１０であり、これらのうち２つの端子部１２が共通パッド部１１１の一対の延出部１１１Ａに連結され、８つの端子部１２が８つの個別パッド部１１２に個別に連結されている。複数の端子部１２には、たとえば錫（Ｓｎ）を含む合金めっき層を施してもよい。
【００３３】
複数のＬＥＤチップ２０は、図２および図３に示すように、ＬＥＤ数字表示器Ａ１０では、複数のリード１０のうち複数の個別パッド部１１２の主面１０Ａに、個別かつ電気的に接合されている。複数のＬＥＤチップ２０は、ＬＥＤ数字表示器Ａ１０の光源である。複数のＬＥＤチップ２０は、厚さ方向ｚにおいて複数の個別パッド部１１２の主面１０Ａが向く側に光を出射する。ＬＥＤ数字表示器Ａ１０では、複数のＬＥＤチップ２０の数は８つである。図９に示すように、複数のＬＥＤチップ２０の各々は、基材２１、第１半導体層２２、活性層２３、第２半導体層２４、表面２０Ａ、表面電極２０１および裏面電極２０２を有する。
【００３４】
基材２１は、ＬＥＤチップ２０の土台であり、導電性を有する。ＬＥＤ数字表示器Ａ１０では、基材２１は、ｎ型半導体からなる。基材２１の主要材料は、たとえばヒ化ガリウム（ＧａＡｓ）である。第１半導体層２２は、厚さ方向ｚにおいて基材２１に積層されている。ＬＥＤ数字表示器Ａ１０では、第１半導体層２２は、ｎ型半導体からなる。第１半導体層２２の主要材料は、たとえば窒化ガリウム（ＧａＮ）である。
【００３５】
活性層２３は、厚さ方向ｚにおいて第１半導体層２２に積層されている。活性層２３が、ＬＥＤチップ２０の発光領域となる。活性層２３は、たとえばノンドープのＡｌＧａＩｎＰから構成される。活性層２３は、自然放出により光を発する。
【００３６】
第２半導体層２４は、厚さ方向ｚにおいて活性層２３に積層されている。ＬＥＤ数字表示器Ａ１０では、第２半導体層２４は、ｐ型半導体からなる。第２半導体層２４の主要材料は、たとえば窒化ガリウムである。第２半導体層２４のうち、厚さ方向ｚにおいて活性層２３が位置する側とは反対側を向く面が、ＬＥＤチップ２０の表面２０Ａに相当する。
【００３７】
表面電極２０１は、表面２０Ａから厚さ方向ｚに突出している。表面電極２０１の構成材料は、たとえば金（Ａｕ）である。表面電極２０１にワイヤ３０が接続されている。ＬＥＤ数字表示器Ａ１０では、表面電極２０１は、ＬＥＤチップ２０のアノードである。
【００３８】
裏面電極２０２は、厚さ方向ｚにおいて、基材２１に対して第１半導体層２２とは反対側に位置している。裏面電極２０２は、ＬＥＤチップ２０が電気的に接合された個別パッド部１１２の主面１０Ａに対向している。裏面電極２０２は、厚さ方向ｚにおいて複数の個別パッド部１１２の主面１０Ａに対向する基材２１の面の全体を覆っている。裏面電極２０２は、たとえばチタン（Ｔｉ）および金を、この順に厚さ方向ｚにおいて基材２１に積層させた金属層から構成される。ＬＥＤ数字表示器Ａ１０では、裏面電極２０２は、ＬＥＤチップ２０のカソードである。
【００３９】
図９に示すように、複数のＬＥＤチップ２０の裏面電極２０２は、導電接合層２９を介して複数の個別パッド部１１２の主面１０Ａに個別かつ電気的に接合されている。導電接合層２９は、銀粒子が含有されたエポキシ樹脂（Ａｇペースト）である。これにより、複数のＬＥＤチップ２０は、複数の個別パッド部１１２に個別に導通している。
【００４０】
複数のワイヤ３０は、図３および図９に示すように、複数のＬＥＤチップ２０の表面電極２０１と、共通パッド部１１１の主面１０Ａとを個別に接続する導電部材である。複数のワイヤ３０の構成材料は、たとえば金である。これにより、複数のＬＥＤチップ２０は、共通パッド部１１１に導通している。ＬＥＤ数字表示器Ａ１０では、複数のワイヤ３０の数は８つである。複数のワイヤ３０の各々は、第１ボンディング部３１および第２ボンディング部３２を有する。
【００４１】
第１ボンディング部３１は、ワイヤ３０の形成開始の際に、対象物に接合されるワイヤ３０の端部である。図９に示すように、第１ボンディング部３１は、厚さ方向ｚに押しつぶされた形状となっている。第２ボンディング部３２は、ワイヤ３０の形成終了の際に、対象物に接合されるワイヤ３０の端部である。図３および図９に示すように、ＬＥＤ数字表示器Ａ１０では、第１ボンディング部３１が表面電極２０１に接続され、かつ第２ボンディング部３２が共通パッド部１１１の主面１０Ａに接続されている。この場合では、第１ボンディング部３１が、本発明にかかる特許請求の範囲に記載の「一端」を指し、第２ボンディング部３２が、本発明にかかる特許請求の範囲に記載の「他端」を指す。なお、図１０に示すように、第１ボンディング部３１が共通パッド部１１１の主面１０Ａに接続され、かつ第２ボンディング部３２が表面電極２０１に接続されるという構成をとってもよい。この場合では、第１ボンディング部３１が、本発明にかかる特許請求の範囲に記載の「他端」を指し、第２ボンディング部３２が、本発明にかかる特許請求の範囲に記載の「一端」を指す。
【００４２】
複数の被覆体４０は、図２および図１１に示すように、複数のＬＥＤチップ２０と、複数のＬＥＤチップ２０の表面電極２０１に接続された複数のワイヤ３０の第１ボンディング部３１とを個別に覆っている。複数の被覆体４０は、透光性かつ電気絶縁性を有する。複数の被覆体４０の構成材料は、たとえばシリコーンゲルである。複数の被覆体４０の各々は、ＬＥＤ数字表示器Ａ１０の使用の際、ＬＥＤチップ２０から発生した熱に起因した封止樹脂６０の熱応力により、導電接合層２９に作用する引張応力を緩和させる効果がある。複数の被覆体４０の周縁４０Ａは、厚さ方向ｚ視において円形状であり、かつＬＥＤチップ２０の周囲を取り囲んでいる。このため、ＬＥＤ数字表示器Ａ１０では、複数の被覆体４０は、複数の個別パッド部１１２の主面１０Ａの一部を個別に覆うとともに、複数の周縁４０Ａは、複数の個別パッド部１１２の主面１０Ａに個別に接している。ＬＥＤ数字表示器Ａ１０では、複数の被覆体４０の数は８つである。
【００４３】
ケース５０は、図５および図７に示すように、複数のリード１０を支持している。ケース５０は、厚さ方向ｚ視において第２方向ｙを長手方向とする矩形状である。ケース５０は、白色の合成樹脂製である。ケース５０の構成材料は、たとえばポリフタルアミド（ＰＰＡ）、または液晶ポリマー（ＬＣＰ）である。なお、ケース５０の構成材料は、これらに限定されず、機械的強度が高く、かつ耐熱性に優れた材料であれば多岐にわたる。図６および図７に示すように、ケース５０は、頂面５０Ａ、裏面５０Ｂ、凹部５１、複数の貫通部５２、複数の第１内周面５３、複数の第２内周面５４、および円形貫通部５９を有する。
【００４４】
頂面５０Ａは、厚さ方向ｚにおいて複数の個別パッド部１１２の主面１０Ａが向く側を向く。ＬＥＤ数字表示器Ａ１０では、頂面５０Ａには、たとえば黒色フィルムが貼り付けられている。裏面５０Ｂは、厚さ方向ｚにおいて頂面５０Ａとは反対側を向く。
【００４５】
図６に示すように、凹部５１は、裏面５０Ｂから厚さ方向ｚに凹んでいる。凹部５１は、底面５１１および内周面５１２を有する。底面５１１は、頂面５０Ａに対して平行である。内周面５１２は、厚さ方向ｚ視において底面５１１の外周縁を取り囲んでいる。内周面５１２のうち、第２方向ｙに離間した一対の領域は、底面５１１および裏面５０Ｂの双方に対して傾斜しており、かつ双方につながっている。共通パッド部１１１および複数の個別パッド部１１２の各々の主面１０Ａの一部は、底面５１１に接着剤により接合されている。これにより、図５、図７および図８に示すように、共通パッド部１１１および複数の個別パッド部１１２は、凹部５１に収容された構成をとる。また、図７に示すように、複数の端子部１２の各々は、内周面５１２および裏面５０Ｂに沿って曲げ加工が施されているため、第１方向ｘから視てＬ字状となっている。
【００４６】
図７および図８に示すように、複数の貫通部５２は、厚さ方向ｚに頂面５０Ａから凹部５１の底面５１１に至って貫通している。複数の貫通部５２は、複数の被覆体４０の少なくともいずれかを個別に収容している。図２に示すように、ＬＥＤ数字表示器Ａ１０では、複数の貫通部５２の数は７つであり、それらの各々が７つの被覆体４０を個別に収容している。複数の貫通部５２は、そこに収容された複数の被覆体４０により第１ボンディング部３１（または第２ボンディング部３２）が覆われた複数のワイヤ３０も個別に収容している。複数の貫通部５２は、いずれも厚さ方向ｚ視において収容されたワイヤ３０に沿って延びる帯状である。
【００４７】
図２、図６および図１１に示すように、複数の貫通部５２の各々は、第１貫通領域５２１および第２貫通領域５２２を有する。第１貫通領域５２１は、複数の個別パッド部１１２の各々に通じる貫通部５２の領域の一部である。第２貫通領域５２２は、厚さ方向ｚにおいて第１貫通領域５２１に対して個別パッド部１１２とは反対側に位置する貫通部５２の領域の一部である。第２貫通領域５２２は、第１貫通領域５２１に通じている。図２に示すように、厚さ方向ｚ視において、第１貫通領域５２１の周縁５２１Ａ（図２に示す閉じた一点鎖線）が囲む領域の面積は、第１貫通領域５２１と第２貫通領域５２２との境界面５２２Ａ（図２に示す複数点のハッチング領域）の面積よりも大である。
【００４８】
図６および図１１に示すように、複数の第１内周面５３は、凹部５１の底面５１１につながり、かつ複数の貫通部５２の第１貫通領域５２１を個別に囲んでいる。複数の第２内周面５４は、複数の第１内周面５３の各々につながり、かつ複数の貫通部５２の第２貫通領域５２２を個別に囲んでいる。複数の貫通部５２の各々において、底面５１１と第１内周面５３との境界５３Ａが、第１貫通領域５２１の周縁５２１Ａに該当する。また、第１内周面５３と第２内周面５４との境界５４Ａが囲む領域が、第１貫通領域５２１と第２貫通領域５２２との境界面５２２Ａに該当する。図６に示すように、厚さ方向ｚ視において、底面５１１と第１内周面５３との境界５３Ａの少なくとも一部が、第１内周面５３と第２内周面５４との境界５４Ａよりも外側に位置する。なお、図６では、境界５４Ａが囲む領域を複数斜線のハッチングにて示している。
【００４９】
図６および図１１に示すように、複数の第１内周面５３の各々は、一対の拡張領域５３１を有する。一対の拡張領域５３１は、複数の貫通部５２の各々が延びる方向に沿っている。図６に示すように、一対の拡張領域５３１の各々では、厚さ方向ｚ視において、凹部５１の底面５１１と拡張領域５３１の境界５３Ａが、拡張領域５３１と第２内周面５４との境界５４Ａよりも外側に位置する。図１１に示すように、ＬＥＤ数字表示器Ａ１０では、一対の拡張領域５３１の各々は、全体にわたって底面５１１に対して傾斜している。
【００５０】
図１２に示すように、厚さ方向ｚ視において、複数の被覆体４０の周縁４０Ａは、いずれも一対の拡張領域５３１と第２内周面５４との境界５４Ａの間に位置している。本構成とは異なり、図１３に示すように、厚さ方向ｚ視において、複数の被覆体４０の少なくともいずれかの周縁４０Ａの一部が、一対の拡張領域５３１に重なる構成をとってもよい。
【００５１】
図２および図６に示すように、円形貫通部５９は、厚さ方向ｚに頂面５０Ａから凹部５１の底面５１１に至って貫通している。円形貫通部５９は、ＬＥＤ数字表示器Ａ１０において複数の貫通部５２に収容されない１個のＬＥＤチップ２０と１本のワイヤ３０を収容している。円形貫通部５９の周縁は、ケース５０の頂面５０Ａから視て円形状である。円形貫通部５９の厚さ方向ｚ視の面積は、個別パッド部１１２の主面１０Ａに向けて徐々に拡大されている。これにより、円形貫通部５９に収容されたＬＥＤチップ２０を覆う被覆体４０が、ケース５０に接触しない構成となる。
【００５２】
複数の封止樹脂６０は、図５、図７および図８に示すように、ケース５０の複数の貫通部５２と、ケース５０の円形貫通部５９とに個別に収容されている。複数の封止樹脂６０は、複数の貫通部５２に収容されたワイヤ３０および被覆体４０を覆っている。図１に示すように、複数の封止樹脂６０は、ケース５０の頂面５０Ａにおいて、複数の貫通部５２、および円形貫通部５９から露出している。複数の封止樹脂６０は、透光性を有する合成樹脂である。ＬＥＤ数字表示器Ａ１０では、複数の封止樹脂６０には、たとえば赤色の蛍光体が含有されている。
【００５３】
アンダーフィル６９は、図４、図７および図８に示すように、ケース５０の凹部５１に充填されている。アンダーフィル６９は、遮光性および電気絶縁性を有する、軟質な黒色の合成樹脂である。凹部５１に収容された共通パッド部１１１および複数の個別パッド部１１２と、複数の端子部１２の一部ずつとは、アンダーフィル６９に覆われている。
【００５４】
次に、ＬＥＤ数字表示器Ａ１０の作動について説明する。ＬＥＤ数字表示器Ａ１０では、共通パッド部１１１に連結された２つの端子部１２がアノードである。複数の個別パッド部１１２に個別に連結された８つの端子部１２がカソードである。アノードである２つの端子部１２と、カソードである８つの端子部１２のうちいずれか選択された端子部１２との間に電位差が生じると、８つのＬＥＤチップ２０が選択的に発光する。これにより、ケース５０の７つの貫通部５２に収容された７つの封止樹脂６０が選択的に発光して、ＬＥＤ数字表示器Ａ１０は、０から９までの１桁の数字を表示させる。また、ケース５０の円形貫通部５９に収容された封止樹脂６０が発光することにより、ＬＥＤ数字表示器Ａ１０は、小数点を表示させる。
【００５５】
（第１変形例）
次に、図１４に基づき、ＬＥＤ数字表示器Ａ１０の第１変形例にかかるＬＥＤ数字表示器Ａ１１について説明する。なお、図１４の断面位置は、図１１の断面位置と同一である。
【００５６】
ＬＥＤ数字表示器Ａ１１では、ケース５０の一対の拡張領域５３１（第１内周面５３）の構成が、先述したＬＥＤ数字表示器Ａ１０と異なる。図１４に示すように、ＬＥＤ数字表示器Ａ１１では、一対の拡張領域５３１の各々は、起立部５３１Ａおよび連結部５３１Ｂを有する。
【００５７】
起立部５３１Ａは、凹部５１の底面５１１につながっている。起立部５３１Ａは、厚さ方向ｚに沿っている。連結部５３１Ｂは、起立部５３１Ａおよび第２内周面５４の双方につながっている。連結部５３１Ｂは、底面５１１に対して傾斜している。
【００５８】
（第２変形例）
次に、図１５に基づき、ＬＥＤ数字表示器Ａ１０の第２変形例にかかるＬＥＤ数字表示器Ａ１２について説明する。なお、図１５の断面位置は、図１１の断面位置と同一である。
【００５９】
ＬＥＤ数字表示器Ａ１２では、ケース５０の一対の拡張領域５３１（第１内周面５３）の構成が、先述したＬＥＤ数字表示器Ａ１０と異なる。図１５に示すように、一対の拡張領域５３１の各々には、厚さ方向ｚにおいて凹部５１の底面５１１に対して階段状の段差５３１Ｃが形成されている。段差５３１Ｃは、厚さ方向ｚにおいて底面５１１と第２内周面５４との間に位置する。ＬＥＤ数字表示器Ａ１２では、段差５３１Ｃの数は２つであるが、段差５３１Ｃの数は、これに限定されない。
【００６０】
（第３変形例）
次に、図１６に基づき、ＬＥＤ数字表示器Ａ１０の第３変形例にかかるＬＥＤ数字表示器Ａ１３について説明する。なお、図１６の断面位置は、図１１の断面位置と同一である。
【００６１】
ＬＥＤ数字表示器Ａ１３では、ケース５０の一対の拡張領域５３１（第１内周面５３）の構成が、先述したＬＥＤ数字表示器Ａ１０と異なる。図１６に示すように、一対の拡張領域５３１の各々は、ケース５０の内側に向けて凹む曲面である。
【００６２】
次に、ＬＥＤ数字表示器Ａ１０の作用効果について説明する。
【００６３】
ＬＥＤ数字表示器Ａ１０の構成によれば、ケース５０に設けられた複数の貫通部５２の各々は、リード１０に通じる第１貫通領域５２１と、厚さ方向ｚにおいて第１貫通領域５２１に対してリード１０とは反対側に位置する第２貫通領域５２２とを有する。図２に示すように、厚さ方向ｚ視において、第１貫通領域５２１の周縁５２１Ａが囲む領域の面積は、第１貫通領域５２１と第２貫通領域５２２との境界面５２２Ａの面積よりも大である。これにより、図１１に示すように、ケース５０が複数の被覆体４０に接触しないため、ＬＥＤ数字表示器Ａ１０の実装の際、複数の被覆体４０と封止樹脂６０との境界付近において複数のワイヤ３０に作用する熱応力が低減される。よって、熱応力の集中による複数のワイヤ３０の破断が回避される。したがって、ＬＥＤ数字表示器Ａ１０によれば、実装時においてＬＥＤ数字表示器Ａ１０に発生する不具合を回避することが可能となる。
【００６４】
ケース５０は、複数の第１貫通領域５２１を個別に囲む複数の第１内周面５３と、複数の第２貫通領域５２２を個別に囲む複数の第２内周面５４とを有する。図６に示すように、厚さ方向ｚ視において、ケース５０の底面５１１と第１内周面５３との境界５３Ａの少なくとも一部が、第１内周面５３と第２内周面５４との境界５４Ａよりも外側に位置する。これにより、厚さ方向ｚ視において、第１貫通領域５２１の周縁５２１Ａが囲む領域の面積は、第１貫通領域５２１と第２貫通領域５２２との境界面５２２Ａの面積よりも大となる。
【００６５】
複数の第１内周面５３の各々は、厚さ方向ｚ視において、複数の貫通部５２の各々が延びる方向に沿った一対の拡張領域５３１を有する。図６に示すように、厚さ方向ｚ視において、ケース５０の底面５１１と拡張領域５３１との境界５３Ａが、拡張領域５３１と第２内周面５４との境界５４Ａよりも外側に位置する。これにより、複数の被覆体４０が図１３に示す形状であっても、ケース５０が複数の被覆体４０に接触することを効果的に防止できる。
【００６６】
一対の拡張領域５３１は、図１１に示すようなケース５０の底面５１１に対する傾斜面である他、図１４〜図１６に示す形態など、先述した第１貫通領域５２１および第２貫通領域５２２の構成を満たす範囲内で種々に設定することができる。
【００６７】
〔第２実施形態〕
図１７および図１８に基づき、本発明の第２実施形態にかかるＬＥＤ数字表示器Ａ２０について説明する。これらの図において、先述したＬＥＤ数字表示器Ａ１０と同一または類似の要素には同一の符号を付して、重複する説明を省略する。なお、図１７は、理解の便宜上、複数の封止樹脂６０を透過している。
【００６８】
ＬＥＤ数字表示器Ａ２０では、複数のＬＥＤチップ２０および複数のワイヤ３０の配置形態が、先述したＬＥＤ数字表示器Ａ１０と異なる。
【００６９】
図１７および図１８に示すように、ＬＥＤ数字表示器Ａ２０では、複数のＬＥＤチップ２０は、複数のリード１０のうち共通パッド部１１１の主面１０Ａに、個別かつ電気的に接合されている。
【００７０】
図１８に示すように、複数のワイヤ３０は、複数のＬＥＤチップ２０の表面電極２０１と、複数の個別パッド部１１２の主面１０Ａとを個別に接続している。ＬＥＤ数字表示器Ａ２０では、複数のワイヤ３０のいずれもが、第１ボンディング部３１が表面電極２０１に接続され、かつ第２ボンディング部３２が個別パッド部１１２の主面１０Ａに接続されている。なお、図１０に示すＬＥＤ数字表示器Ａ１０と同様に、複数のワイヤ３０のいずれもが、第１ボンディング部３１が個別パッド部１１２の主面１０Ａに接続され、かつ第２ボンディング部３２が表面電極２０１に接続されるという構成をとってもよい。
【００７１】
ＬＥＤ数字表示器Ａ２０では、複数の個別パッド部１１２に個別に連結された８つの端子部１２がアノードである。共通パッド部１１１に連結された２つの端子部１２がカソードである。アノードである８つの端子部１２と、カソードである２つの端子部１２のうちいずれか選択された端子部１２との間に電位差が生じると、８つのＬＥＤチップ２０が選択的に発光する。
【００７２】
次に、ＬＥＤ数字表示器Ａ２０の作用効果について説明する。
【００７３】
ＬＥＤ数字表示器Ａ２０の構成によれば、図１７に示すように、厚さ方向ｚ視において、第１貫通領域５２１の周縁５２１Ａが囲む領域の面積は、第１貫通領域５２１と第２貫通領域５２２との境界面５２２Ａの面積よりも大である。したがって、ＬＥＤ数字表示器Ａ２０によっても、実装時においてＬＥＤ数字表示器Ａ２０に発生する不具合を回避することが可能となる。
【００７４】
ＬＥＤ数字表示器Ａ２０の複数のリード１０では、図１８に示すように、共通パッド部１１１に連結された一対の端子部１２がカソードとなり、複数の個別パッド部１１２に個別に連結された複数の端子部１２がアノードとなる。このように、ＬＥＤ数字表示器Ａ２０での複数の端子部１２の極性を、ＬＥＤ数字表示器Ａ１０での複数の端子部１２の極性とは逆にしてもよい。
【００７５】
〔第３実施形態〕
図１９〜図２３に基づき、本発明の第３実施形態にかかるＬＥＤ数字表示器Ａ３０について説明する。これらの図において、先述したＬＥＤ数字表示器Ａ１０と同一または類似の要素には同一の符号を付して、重複する説明を省略する。なお、図１９は、理解の便宜上、複数の封止樹脂６０を透過している。図２１の断面位置は、ＬＥＤ数字表示器Ａ１０を示す図１１の断面位置と同一である。
【００７６】
ＬＥＤ数字表示器Ａ３０では、複数の個別パッド部１１２の構成と、複数の被覆体４０の配置形態とが、先述したＬＥＤ数字表示器Ａ１０と異なる。
【００７７】
図１９〜図２１に示すように、ＬＥＤ数字表示器Ａ３０では、複数のＬＥＤチップ２０の裏面電極２０２が個別に接合された複数の個別パッド部１１２の主面１０Ａには、複数の周溝１３が形成されている。複数の周溝１３は、複数の個別パッド部１１２の主面１０Ａから厚さ方向ｚに凹み、かつ複数のＬＥＤチップ２０を個別に囲んでいる。複数の周溝１３は、厚さ方向ｚ視において一部が欠けた円形状である。図２２に示すように、複数の周溝１３の各々は、外周突起１３１および内周突起１３２を有する。
【００７８】
図２２に示すように、外周突起１３１は、周溝１３の外周縁１３Ａに位置し、かつ個別パッド部１１２の主面１０Ａから厚さ方向ｚに突出している。外周突起１３１は、外周縁１３Ａが囲む方向にわたって一様に形成されている。内周突起１３２は、周溝１３の内周縁１３Ｂに位置し、かつ個別パッド部１１２の主面１０Ａから厚さ方向ｚに突出している。内周突起１３２は、外周縁１３Ａが囲む方向にわたって一様に形成されている。
【００７９】
図２２に示すように、厚さ方向ｚ視において、複数の被覆体４０の周縁４０Ａが、複数の周溝１３の内周突起１３２に個別に接している。
【００８０】
図２３に示すように、厚さ方向ｚ視において、複数の周溝１３は、いずれも一対の拡張領域５３１と第２内周面５４との境界５４Ａの間に位置している。
【００８１】
（第１変形例）
次に、図２４に基づき、ＬＥＤ数字表示器Ａ３０の第１変形例にかかるＬＥＤ数字表示器Ａ３１について説明する。なお、図２４の断面位置は、図２２の断面位置と同一である。
【００８２】
ＬＥＤ数字表示器Ａ３１では、複数の周溝１３に対応する複数の被覆体４０の形状が、先述したＬＥＤ数字表示器Ａ３０と異なる。図２４に示すように、複数の被覆体４０が、周溝１３の外周突起１３１、および周溝１３の内周突起１３２のそれぞれ個別に接している。ＬＥＤ数字表示器Ａ３１では、厚さ方向ｚ視において、複数の被覆体４０の周縁４０Ａが、複数の外周突起１３１に個別に接している。
【００８３】
（第２変形例）
次に、図２５に基づき、ＬＥＤ数字表示器Ａ３０の第２変形例にかかるＬＥＤ数字表示器Ａ３２について説明する。なお、図２５の断面位置は、図２２の断面位置と同一である。
【００８４】
ＬＥＤ数字表示器Ａ３２では、複数の周溝１３に対応する複数の被覆体４０の形状が、先述したＬＥＤ数字表示器Ａ３０と異なる。図２５に示すように、複数の被覆体４０が、周溝１３の外周突起１３１、および周溝１３の内周突起１３２のそれぞれ個別に接している。ＬＥＤ数字表示器Ａ３２では、厚さ方向ｚ視において、複数の被覆体４０の周縁４０Ａの少なくとも一部が、外周突起１３１よりも外側に位置している。
【００８５】
次に、ＬＥＤ数字表示器Ａ３０の作用効果について説明する。
【００８６】
ＬＥＤ数字表示器Ａ３０の構成によれば、図１９に示すように、厚さ方向ｚ視において、第１貫通領域５２１の周縁５２１Ａが囲む領域の面積は、第１貫通領域５２１と第２貫通領域５２２との境界面５２２Ａの面積よりも大である。したがって、ＬＥＤ数字表示器Ａ３０によっても、実装時においてＬＥＤ数字表示器Ａ３０に発生する不具合を回避することが可能となる。
【００８７】
ＬＥＤ数字表示器Ａ３０では、図２０および図２１に示すように、複数のＬＥＤチップ２０の裏面電極２０２が電気的に接合された複数のリード１０のいずれかの主面１０Ａ（複数の個別パッド部１１２の主面１０Ａ）には、主面１０Ａから凹む複数の周溝１３が形成されている。複数の周溝１３は、複数のＬＥＤチップ２０を個別に囲んでいる。これにより、複数の被覆体４０に作用する表面張力が増加して、厚さ方向ｚ視において複数の被覆体４０が過度に拡がることを抑止できる。
【００８８】
複数の周溝１３は、図２３に示すように、いずれも一対の拡張領域５３１と第２内周面５４との境界５４Ａの間に位置している。これにより、ケース５０が複数の被覆体４０に接触することを、ＬＥＤ数字表示器Ａ１０よりも効果的に防止できる。
【００８９】
複数の周溝１３の各々は、図２２に示すように、外周縁１３Ａに位置する外周突起１３１と、内周縁１３Ｂに位置する内周突起１３２とを有する。外周突起１３１および内周突起１３２は、主面１０Ａから厚さ方向ｚに突出している。ＬＥＤ数字表示器Ａ３０では、図２２に示すように、複数の被覆体４０の周縁４０Ａが、複数の内周突起１３２に個別に接している。この場合では、複数の内周突起１３２が、複数の被覆体４０に作用する表面張力を増加させる機能を果たす。
【００９０】
複数の被覆体４０の体積が徐々に増加するにつれて、複数の周溝１３に対応する複数の被覆体４０の形状は、図２５に示すＬＥＤ数字表示器Ａ３１での形状、図２６に示すＬＥＤ数字表示器Ａ３２での形状をとり得る。ＬＥＤ数字表示器Ａ３１およびＬＥＤ数字表示器Ａ３２では、複数の被覆体４０が、周溝１３の外周突起１３１、および周溝１３の内周突起１３２のそれぞれ個別に接している。この場合では、複数の外周突起１３１が、複数の被覆体４０に作用する表面張力を増加させる機能を果たす。
【００９１】
〔第４実施形態〕
図２６〜図２９に基づき、本発明の第４実施形態にかかるＬＥＤ数字表示器Ａ４０について説明する。これらの図において、先述したＬＥＤ数字表示器Ａ１０と同一または類似の要素には同一の符号を付して、重複する説明を省略する。なお、図２６は、理解の便宜上、複数の封止樹脂６０を透過している。
【００９２】
ＬＥＤ数字表示器Ａ４０では、共通パッド部１１１の構成と、複数のＬＥＤチップ２０、複数のワイヤ３０および複数の被覆体４０の配置形態とが、先述したＬＥＤ数字表示器Ａ１０と異なる。これらのうち、複数のＬＥＤチップ２０および複数のワイヤ３０の配置形態は、ＬＥＤ数字表示器Ａ２０におけるこれらの配置形態と同一であるため、ここでの説明は省略する。
【００９３】
図２６〜図２８に示すように、ＬＥＤ数字表示器Ａ４０では、複数のＬＥＤチップ２０の裏面電極２０２が接合された共通パッド部１１１の主面１０Ａには、複数の周溝１３が形成されている。複数の周溝１３は、共通パッド部１１１の主面１０Ａから厚さ方向ｚに凹み、かつ複数のＬＥＤチップ２０を個別に囲んでいる。複数の周溝１３は、厚さ方向ｚ視において円形状である。図２９に示すように、複数の周溝１３の各々は、外周突起１３１および内周突起１３２を有する。
【００９４】
図２９に示すように、外周突起１３１は、周溝１３の外周縁１３Ａに位置し、かつ共通パッド部１１１の主面１０Ａから厚さ方向ｚに突出している。外周突起１３１は、外周縁１３Ａが囲む方向にわたって一様に形成されている。内周突起１３２は、周溝１３の内周縁１３Ｂに位置し、かつ共通パッド部１１１の主面１０Ａから厚さ方向ｚに突出している。内周突起１３２は、外周縁１３Ａが囲む方向にわたって一様に形成されている。
【００９５】
図２９に示すように、厚さ方向ｚ視において、複数の被覆体４０の周縁４０Ａが、周溝１３の内周突起１３２に個別に接している。ＬＥＤ数字表示器Ａ４０でも、複数の周溝１３に対応する複数の被覆体４０の形状が、図２５に示すＬＥＤ数字表示器Ａ３１での形状や、図２６に示すＬＥＤ数字表示器Ａ３２での形状であってもよい。
【００９６】
次に、ＬＥＤ数字表示器Ａ４０の作用効果について説明する。
【００９７】
ＬＥＤ数字表示器Ａ４０の構成によれば、図２６に示すように、厚さ方向ｚ視において、第１貫通領域５２１の周縁５２１Ａが囲む領域の面積は、第１貫通領域５２１と第２貫通領域５２２との境界面５２２Ａの面積よりも大である。したがって、ＬＥＤ数字表示器Ａ４０によっても、実装時においてＬＥＤ数字表示器Ａ３０に発生する不具合を回避することが可能となる。
【００９８】
ＬＥＤ数字表示器Ａ４０では、図２７および図２８に示すように、複数のＬＥＤチップ２０の裏面電極２０２が電気的に接合された複数のリード１０のいずれかの主面１０Ａ（共通パッド部１１１の主面１０Ａ）には、主面１０Ａから凹む複数の周溝１３が形成されている。複数の周溝１３は、複数のＬＥＤチップ２０を個別に囲んでいる。これにより、複数の被覆体４０に作用する表面張力が増加して、厚さ方向ｚ視において複数の被覆体４０が過度に拡がることを抑止できる。
【００９９】
ＬＥＤ数字表示器Ａ４０の複数のリード１０では、図２７に示すように、共通パッド部１１１に連結された一対の端子部１２がカソードとなり、複数の個別パッド部１１２に個別に連結された複数の端子部１２がアノードとなる。このように、ＬＥＤ数字表示器Ａ４０での複数の端子部１２の極性を、ＬＥＤ数字表示器Ａ３０での複数の端子部１２の極性とは逆にしてもよい。
【０１００】
本発明は、先述した実施形態に限定されるものではない。本発明の各部の具体的な構成は、種々に設計変更自在である。
【符号の説明】
【０１０１】
Ａ１０，Ａ２０，Ａ３０，Ａ４０：ＬＥＤ数字表示器
Ａ１１，Ａ１２，Ａ１３，Ａ３１，Ａ３２：ＬＥＤ数字表示器
１０：リード
１０Ａ：主面
１１１：共通パッド部
１１１Ａ：延出部
１１２：個別パッド部
１２：端子部
１３：周溝
１３Ａ：外周縁
１３Ｂ：内周縁
１３１：外周突起
１３２：内周突起
２０：ＬＥＤチップ
２０Ａ：表面
２０１：表面電極
２０２：裏面電極
２１：基材
２２：第１半導体層
２３：活性層
２４：第２半導体層
２９：導電接合層
３０：ワイヤ
３１：第１ボンディング部
３２：第２ボンディング部
４０：被覆体
４０Ａ：周縁
５０：ケース
５０Ａ：頂面
５０Ｂ：裏面
５１：凹部
５１１：底面
５１２：内周面
５２：貫通部
５２１：第１貫通領域
５２１Ａ：周縁
５２２：第２貫通領域
５２２Ａ：境界面
５３：第１内周面
５３Ａ：境界
５３１：拡張領域
５３１Ａ：起立部
５３１Ｂ：連結部
５３１Ｃ：段差
５４：第２内周面
５４Ａ：境界
５９：円形貫通部
６０：封止樹脂
６９：アンダーフィル
ｚ：厚さ方向
ｘ：第１方向
ｙ：第２方向
【図１】
2019134061.tif 000003
【図２】
2019134061.tif 000004
【図３】
2019134061.tif 000005
【図４】
2019134061.tif 000006
【図５】
2019134061.tif 000007
【図６】
2019134061.tif 000008
【図７】
2019134061.tif 000009
【図８】
2019134061.tif 000010
【図９】
2019134061.tif 000011
【図１０】
2019134061.tif 000012
【図１１】
2019134061.tif 000013
【図１２】
2019134061.tif 000014
【図１３】
2019134061.tif 000015
【図１４】
2019134061.tif 000016
【図１５】
2019134061.tif 000017
【図１６】
2019134061.tif 000018
【図１７】
2019134061.tif 000019
【図１８】
2019134061.tif 000020
【図１９】
2019134061.tif 000021
【図２０】
2019134061.tif 000022
【図２１】
2019134061.tif 000023
【図２２】
2019134061.tif 000024
【図２３】
2019134061.tif 000025
【図２４】
2019134061.tif 000026
【図２５】
2019134061.tif 000027
【図２６】
2019134061.tif 000028
【図２７】
2019134061.tif 000029
【図２８】
2019134061.tif 000030
【図２９】
2019134061.tif 000031